(57)【要約】【課題】所定の圧力がかけられた状態で供給される流体をその状態のまま所定の時間ごとに採集することができる流体採集装置を提供する。【解決手段】供給源から流体を導く導水管４０と、導水管４０で導かれた流体を貯留する複数の耐圧容器３５と、導水管４０と各耐圧容器３５との間に設けられて所定の時間が経過するごとに、導水管４０と所定の耐圧容器３５とを接続して導水管４０内を流れる流体を所定の耐圧容器３５内に流すように制御する制御部とを備える。【選択図】図２
2010266375.tif 000002
【特許請求の範囲】
【請求項１】
供給源から所定の圧力がかけられた状態で流体を導く導管と、
前記導管に接続されて前記流体を貯留する複数の耐圧容器と、
所定の時間が経過するごとに前記導管内を流れる流体を所定の耐圧容器内に流すように制御して所定の圧力がかけられた状態で供給源から供給される一定量の流体をその状態のまま前記耐圧容器内に流入させる制御部とを備えた
ことを特徴とする流体採集装置。
【請求項２】
請求項１に記載の流体採取装置において、
前記複数の耐圧容器と前記供給源とをそれぞれ接続して前記耐圧容器の内部の流体を前記供給源に一定量戻す還流手段を備えた
ことを特徴とする流体採取装置。
【請求項３】
請求項２に記載の流体採取装置において、
前記還流手段は、
前記耐圧容器と前記供給源とを接続する戻り導管と、
前記耐圧容器内の流体を前記戻り導管を通して前記供給源に送り出すポンプとからなる
ことを特徴とする流体採取装置。
【請求項４】
請求項１〜請求項３のいずれか一項に記載の流体採取装置において、
前記導管は、供給源からの流体を導く導入管と、前記導入管に接続される球状の分岐部と、前記分岐部と前記複数の耐圧容器をそれぞれ接続する接続管とからなり、
前記接続管ごとに設けられ前記制御部により制御される制御バルブを備えた
ことを特徴とする流体採集装置。
【請求項５】
請求項１〜請求項４のいずれか一項に記載の流体採取装置において、
ラドンを検出する固体放射線センサが前記耐圧容器の内部に設置され、
前記流体が、地中空間内に形成された密閉空間内の地下水である
ことを特徴とする流体採集装置。
【発明の詳細な説明】
【技術分野】
【０００１】
本発明は、所定の圧力がかけられた状態で供給される気体又は液体等の流体を加圧状態のまま所定の時間ごとに採集することができる流体採集装置に関する。
【背景技術】
【０００２】
トンネルや地下空洞などの周囲の地盤に関する情報を得る方法として、例えば空洞内の外側に地中空間を形成し、その地中空間から湧き出る地下水に含まれる成分を分析して地盤の状況を推定する地盤分析方法がある。そして、この方法に使用される地下水は、例えば作業員が実際にトンネル内部に入り、地中空間から湧き出る地下水を密閉可能な容器に入れることにより採集されてきた。
【０００３】
一方、ボーリングで掘削した地中空間内を利用して所定の深度の地下水などをサンプラーで採取する試料採取装置が提案されている（例えば、特許文献１参照）。
【先行技術文献】
【特許文献】
【０００４】
【特許文献１】特開２００５−３２５６１５号公報
【発明の概要】
【発明が解決しようとする課題】
【０００５】
上述した地盤分析方法や試料採取装置を用いて地盤に関する正確な情報を取得するためには、採取した地下水が実際にトンネルなどの岩盤中に存在している状態と同様の状態となっている必要がある。そして、実際に岩盤中に存在している地下水には深度に応じた高い圧力がかかっており、さまざまな成分が地下水に溶解している。溶解している成分の中には、大気圧ではガス状態となり地下水と分離してしまうものもある。
【０００６】
したがって、上述したように、作業員が通常の密閉容器に地中空間から湧き出る地下水を入れる際に、地下水に含まれていた成分がガス状態となって地下水と分離してしまい、岩盤中に存在していた地下水とは異なってしまうという問題（問題１）があった。また、従来の方法では、地下水を採取するたびに作業員がトンネルなどに入る必要があるため、作業が煩雑になるという問題（問題２）と、長時間かかる地下水の採取をすることができないという問題（問題３）があった。なお、上述した試料採取装置を用いても問題１を解決することはできない。
【０００７】
本発明は、上記問題点を解決するためになされたもので、所定の圧力がかけられた状態で供給される流体をその状態のまま所定の時間ごとに採集することができる流体採集装置を提供することを目的とする。
【課題を解決するための手段】
【０００８】
上記目的を達成するための請求項１に係る本発明の流体採集装置は、供給源から所定の圧力がかけられた状態で流体を導く導管と、前記導管に接続されて前記流体を貯留する複数の耐圧容器と、所定の時間が経過するごとに前記導管内を流れる流体を所定の耐圧容器内に流すように制御して所定の圧力がかけられた状態で供給源から供給される一定量の流体をその状態のまま前記耐圧容器内に流入させる制御部とを備えたことを特徴とする。
【０００９】
請求項１に係る本発明では、所定の圧力下の地下水をそのままの状態で採集することができるので、所定の圧力がかけられた状態で供給される流体を所定の時間ごとに採集することができる。
【００１０】
また、請求項２に係る本発明の流体採取装置は、請求項１に記載の流体採取装置において、前記複数の耐圧容器と前記供給源とをそれぞれ接続して前記耐圧容器の内部の流体を前記供給源に一定量戻す還流手段を備えたことを特徴とする。
【００１１】
請求項２に係る本発明では、供給源から供給された流体を供給源に戻すことになるので、供給源の状態を変化させずに、所定の圧力がかけられた状態で供給される流体をその状態のまま採集することができる。
【００１２】
また、請求項３に係る本発明の流体採取装置は、請求項２に記載の流体採取装置において、前記還流手段は、前記耐圧容器と前記供給源とを接続する戻り導管と、前記耐圧容器内の流体を前記戻り導管を通して前記供給源に送り出すポンプとからなることを特徴とする。
【００１３】
請求項３に係る本発明では、戻り導管とポンプとを用いて還流手段を構成することにより、流体採集装置から供給源に対して容易に流体を還流させることができる。この結果、流体を還流させることができる好適な流体採集装置を作製することができる。
【００１４】
また、請求項４に係る本発明の流体採取装置は、請求項１〜請求項３のいずれか一項に記載の流体採取装置において、前記導管は、供給源からの流体を導く導入管と、前記導入管に接続される球状の分岐部と、前記分岐部と前記複数の耐圧容器をそれぞれ接続する接続管とからなり、前記接続管ごとに設けられ前記制御部により制御される制御バルブを備えたことを特徴とする。
【００１５】
請求項４に係る本発明では、球状の分岐部と接続管と電磁バルブを用い、導入管と複数の耐圧容器とを接続することにより、複数の耐圧容器の内部に容易に流体を分配・供給することができる。この結果、流体を分配・供給することができる好適な流体採集装置を作製することができる。
【００１６】
また、請求項５に係る本発明の流体採取装置は、請求項１〜請求項４のいずれか一項に記載の流体採取装置において、ラドンを検出する固体放射線センサが前記耐圧容器の内部に設置され、前記流体が、地中空間内に形成された密閉空間内の地下水であることを特徴とする。
【００１７】
請求項５に係る本発明では、密閉空間内の地下水に含まれるラドンの濃度を正確に検出することができる。
【発明の効果】
【００１８】
本発明の流体採集装置は、所定の圧力がかけられた状態で供給される流体をその状態のまま所定の時間ごとに採集することができる。
【図面の簡単な説明】
【００１９】
【図１】本発明の一実施形態例に係る流体採集装置の全体を表す概略図である。
【図２】取水装置の詳細状況説明図である。
【図３】亀裂が発生した状態の概略図である。
【図４】ラドンのトラック数の経時変化を表すグラフである。
【発明を実施するための形態】
【００２０】
以下、本発明を実施するための形態について説明する。なお、本実施形態の説明は例示であり、本発明は以下の説明に限定されない。
【００２１】
地中に設けられた空洞の外側に地中空間（掘削穴）を形成すると共にその地中空間内に密閉空間を形成し、その密閉空間内に湧き出す地下水に含まれるラドンの濃度変化に基づいて、その密閉空間に連通した地中亀裂の大きさを測定することが行われている。本実施形態例の流体採集装置は、地中の亀裂を測定する装置の一部を構成するものである。尚、密閉空間内に湧き出る地下水の流量は一定であり、その地下水にかかる圧力も一定である。
【００２２】
図１には本発明の一実施形態例に係る流体採集装置の全体を表す概略、図２には取水装置の詳細状況、図３には亀裂が発生した状態の概略、図４にはラドンのトラック数の経時変化を示してある。
【００２３】
図１に示すように、流体採取装置１は、地中１００に設けられた空洞２００の外側に形成された地中空間１１０に配される２つのパッカー１０と、ラドン検出手段である固体放射線センサ（例えばフィルムバッチなど）２０と、取水装置３０と、導水管４０とで構成されている。
【００２４】
具体的には、パッカー１０が所定の間隔を隔てて地中空間１１０内に２つ設置されており、地中空間１１０内に密閉空間１２０を形成している。密閉空間１２０内には、導管としての導水管４０の一端が配置されおり、密閉空間１２０と導水管４０とが連通している。導水管４０は空洞２００側に配置されたパッカー１０の内部と地中空間１１０の入り口部に設けられたフランジ１１１を貫通して、空洞２００内に配置された取水装置３０に接続されており、供給源である密閉空間１２０内に湧き出した地下水を取水装置３０に導くことができる。
【００２５】
取水装置３０は、図２に示すように、導水管４０に接続された球状の分岐部３１と、４つの耐圧容器３５と、分岐部３１と各耐圧容器３５とを接続する４つの接続管３２とを有している。球状の分岐部３１を用いることで、高い圧力がかけられた流体に対しても適用することができる。つまり、導管は、導水管４０及び分岐部３１及び接続管３２で構成されている。
【００２６】
接続管３２には制御バルブとしての電磁バルブ３３がそれぞれ設けられており、この電磁バルブ３３を制御することによって、導水管４０内を流れる地下水を所定の耐圧容器３５に導くことができるようになっている。具体的には、所定の時間が経過するごとに、電磁バルブ３３にそれぞれ接続された制御部（図示省略）により制御されて複数の電磁バルブ３３が順に開放されるようになっている。分岐部３１の上部及び接続管３２には排出弁３４がそれぞれ設けられており、排出弁３４が開放されることにより分岐部３１及び耐圧容器３５の内部に溜まったガス成分が排出される。
【００２７】
耐圧容器３５の内部には複数の固体放射線センサ２０がそれぞれ配置されており、耐圧容器３５内に流れ込んだ地下水に含まれるラドンの放射線のトラック数Ｎを検出することができる。従って、取水装置３０を用いることにより、所定の経過時間ごとの密閉空間１２０の地下水に含まれるラドンの放射線のトラック数Ｎ（量）を検出することができる。
【００２８】
また、耐圧容器３５の下方には排出管３６がそれぞれ接続され、排出管３６には電磁バルブ３７がそれぞれ設けられている。電磁バルブ３７は、接続管３２に設けられた電磁バルブ３３と連動し、所定の耐圧容器３５に地下水が流れ込む際に同時に耐圧容器３５の内部に貯蔵されていた水を排水することができる。即ち、耐圧容器３５に地下水が流れ込むと同時に流れ込んだ量と同量の水が排出される。その結果、耐圧容器３５の内部には常に一定量の地下水が存在することになり、耐圧容器３５の内部は密閉空間１２０の地下水にかかる圧力と同じ圧力に保たれることになる。
【００２９】
これにより、地下水にかかる圧力が低下して地下水に溶解していたラドンが気体として放出されるのを防止することができる。この結果、固体放射線センサ２０を用いて、地下水に溶解しているラドンの量（放射線のトラック数Ｎ）を正確に測定することができる。尚、この取水装置３０を稼動させる前には、耐圧容器３５の内部の圧力が密閉空間１２０の内部の地下水の圧力と等しくなるように、耐圧容器３５の内部には所定の量の水が予め貯留されている。
【００３０】
排出管３６は戻り導管４１に接続され、戻り導管４１はフランジ１１１を貫通して密閉空間１２０に連通している。このため、密閉空間１２０の地下水は取水装置３０内を循環することになる。尚、図２では取水装置３０の構造を明確にするために、３つの排出管３６に接続される戻り導管を省略してある。
【００３１】
密閉空間１２０の地下水を循環させるためのポンプ４２が戻り導管４１に設置され、ポンプ４２により地下水を循環させるようにしている。これにより、密閉空間１２０の状態を変化させずに、所定の圧力がかけられた状態で供給される地下水をその状態のまま採集することができる。そして、所定の時間が経過するごとに、地下水が流れる耐圧容器３５を順次変更することにより、所定の時間ごとの地下水を採集することができる。従って、従来は作業員が地下水を採集する際に行っていた煩雑な作業を省略することができると共に、耐圧容器３５の内部の地下水を分析することによって密閉空間１２０の地下水の経時変化を容易に観察することができる。
【００３２】
このように、流体採取装置１を構成することにより、空洞２００の周囲の岩盤などの緩みなどにより発生した亀裂のうち、図３に示すような密閉空間１２０と連通した亀裂１５０の状態を検証することができる。
【００３３】
次に、本実施形態に係る流体採取装置１を用いて、空洞２００の周囲の岩盤などの緩みなどにより発生した亀裂のうち、密閉空間１２０と連通した亀裂１５０の大きさの測定について説明する。図４は、密閉空間１２０と連通した亀裂１５０が発生した場合の固体放射線センサ２０によって検出されたラドンのトラック数Ｎを示すグラフである。フィルムバッチなどのような固体放射線センサ２０では、一定時間内でラドンから放射された放射線のトラック数Ｎが検出される。その結果、たとえ密閉空間１２０内の地下水中のラドンの濃度が一定であっても経過時間と共に固体放射線センサ２０によって検出されるトラック数Ｎは一定の割合で増加することになる。
【００３４】
尚、本実施形態例では、上述した取水装置３０を用いており、所定の経過時間ごとの密閉空間１２０の地下水に含まれるラドンのトラック数Ｎを検出することができるので、一回の測定でこのグラフを得ることができる。
【００３５】
従って、亀裂１５０が発生する前であっても、密閉空間１２０の地下水にはラドンが含まれているので、図３に示すように、トラック数Ｎは一定の増加割合で（密閉空間を形成する岩盤の表面積に応じて）増加するように検出される（バックグラウンド）。そして、密閉空間１２０に亀裂１５０が発生すると、岩盤の表面からラドンを含む地下水が亀裂１５０及び地中空間１１０に流れ込むことになる。そして、地下水が導管（導水管４０、分岐部３１及び接続管３２）を通って耐圧容器３５内に流れ込む。その結果、経過時間に対するトラック数Ｎの増加割合（傾き）は亀裂１５０が発生する前のトラック数Ｎの増加割合よりも大きくなる。
【００３６】
従って、亀裂１５０が発生する前のトラック数Ｎの増加割合と、亀裂１５０が発生した後のトラック数Ｎの増加割合とから、亀裂が発生した後に増加したラドンの濃度を求め、増加したラドンの濃度に基づいて亀裂１５０の状況を導き出すことができる。
【００３７】
尚、亀裂１５０の状況を導き出す際に必要となるラドンフラックスは実際に測定してもよいし、様々な組成の岩盤に対するラドンフラックスをデータベースに予め格納しておき、データベースに格納されているラドンフラックスの中で、亀裂１５０が形成される岩盤の組成と最も類似する組成の岩盤のラドンフラックスを代用してもよい。
【００３８】
以上説明したように、流体採取装置１では、所定の圧力がかけられた状態で一定量供給される地下水をその状態のまま所定の時間ごとに採集することができる。この結果、地中亀裂の状態と密接に関連するラドンを利用して、密閉空間に連通するように地中に発生した亀裂の状況を正確に導き出すことができる。
【００３９】
尚、密閉空間１２０でラドンが気体状態で存在する場合には、地下水に代えて気体状態のラドンを流体採取装置１により採集してもよい。また、上記実施形態例では、分岐部３１と接続管３２と電磁バルブ３３とを介して、導水管４０と耐圧容器３５とをそれぞれ接続したが、流体にかかる圧力を変化させることなく所定の時間が経過するごとに、導水管４０と所定の耐圧容器３５とを接続して、導水管４０の内部を流れる流体を所定の耐圧容器３５の内部に流すように制御できるものであれば、導管の構成は特に限定されない。また、上述した実施形態例では、空洞２００の外周面に穿設された地中空間１１０の密閉空間１２０に湧き出る地下水を採集するようにしたが、本発明に係る流体採集装置は、所定の流量・圧力で供給される流体の採取であれば他の流体の採取にも適用することができる。
【産業上の利用可能性】
【００４０】
本発明は、所定の圧力がかけられた状態で供給される気体又は液体等の流体を加圧状態のまま所定の時間ごとに採集することができる流体採集装置の産業分野で利用することができる。
【符号の説明】
【００４１】
１  流体採取装置
１０  パッカー
２０  固体放射線センサ
３０  取水装置
３１  分岐部
３２  接続管
３３、３７  電磁バルブ
３４  排出弁
３５  耐圧容器
３６  排出管
４０  導水管
４１  戻り導管
４２  ポンプ
１００  地中
１１０  地中空間
１１１  フランジ
１２０  密閉空間
１５０  亀裂
２００  空洞
【図１】
2010266375.tif 000003
【図２】
2010266375.tif 000004
【図３】
2010266375.tif 000005
【図４】
2010266375.tif 000006